(57)【要約】【課題】記録媒体を利用してコンテンツを購入する際に、ユーザに負担を掛けることなく、多数のコンテンツを提供可能とし、記録媒体に対してコンテンツの追加や削除などを容易に行う。【解決手段】ユーザ端末２は、サーバ装置４から提供されるコンテンツ購入画面を表示させ、コンテンツ購入画面上で購入する購入コンテンツ及び／又は今後購入予定の購入候補コンテンツをユーザに選択させ、選択された購入コンテンツ及び／又は購入候補コンテンツを記録した書き換え可能な記録媒体１の購入要求をサーバ装置４に送信する。サーバ装置４は、ユーザ端末２により送信された購入要求を受信し、受信した購入要求に基づいて記録媒体１を作成する。記録媒体１は、再生禁止に保護された購入コンテンツ及び／又は購入候補コンテンツと、購入コンテンツの保護を解除するための認証キーとが記録され、購入候補コンテンツの保護を解除するための認証キーを追記可能としている。【選択図】図１
2010250648.tif 000002
【特許請求の範囲】
【請求項１】
ユーザが使用するユーザ端末と、コンテンツ提供元のサーバ装置とがネットワークを介して接続されたコンテンツ購入システムであって、
前記ユーザ端末は、前記サーバ装置から提供されるコンテンツ購入画面を表示させ、該コンテンツ購入画面上で購入する購入コンテンツ及び／又は今後購入予定の購入候補コンテンツをユーザに選択させるコンテンツ選択手段と、該選択された購入コンテンツ及び／又は購入候補コンテンツを記録した書き換え可能な記録媒体の購入要求を前記サーバ装置に送信する購入要求送信手段とを備え、
前記サーバ装置は、前記購入要求送信手段により送信された購入要求を受信する購入要求受信手段と、該受信した購入要求に基づいて前記記録媒体を作成する記録媒体作成手段とを備え、
前記記録媒体は、再生禁止に保護された購入コンテンツ及び／又は購入候補コンテンツと、購入コンテンツの保護を解除するための認証キーとが記録され、購入候補コンテンツの保護を解除するための認証キーを追記可能としたことを特徴とするコンテンツ購入システム。
【請求項２】
請求項１に記載のコンテンツ購入システムにおいて、前記記録媒体作成手段は、前記購入候補コンテンツとして、前記購入コンテンツに関連する関連コンテンツを前記記録媒体に記録することを特徴とするコンテンツ購入システム。
【請求項３】
請求項１又は２に記載のコンテンツ購入システムにおいて、前記記録媒体に記録された購入候補コンテンツの保護を解除する場合、前記ユーザ端末は、前記購入候補コンテンツの認証キーの購入要求を前記サーバ装置に送信することにより、該サーバ装置から認証キーを取得し、該取得した認証キーを前記記録媒体に追記可能としたことを特徴とするコンテンツ購入システム。
【請求項４】
請求項３に記載のコンテンツ購入システムにおいて、前記サーバ装置は、前記購入要求受信手段により受信した購入要求に含まれる購入コンテンツの購入代金を課金する課金手段を備え、該課金手段は、前記購入候補コンテンツの認証キーを前記ユーザ端末に送信した時点で、前記購入候補コンテンツの購入代金を課金することを特徴とするコンテンツ購入システム。
【請求項５】
請求項１〜４のいずれか１項に記載のコンテンツ購入システムにおいて、コンテンツを追加購入する場合、前記ユーザ端末は、購入コンテンツの追加要求を前記サーバ装置に送信することにより、該サーバ装置から購入コンテンツ及びその認証キーを取得し、該取得した購入コンテンツ及びその認証キーを前記記録媒体に追記可能としたことを特徴とするコンテンツ購入システム。
【請求項６】
請求項１〜４のいずれか１項に記載のコンテンツ購入システムにおいて、コンテンツを購入候補として追加する場合、前記ユーザ端末は、購入候補コンテンツの追加要求を前記サーバ装置に送信することにより、該サーバ装置から購入候補コンテンツを取得し、該取得した購入候補コンテンツを前記記録媒体に追記可能としたことを特徴とするコンテンツ購入システム。
【請求項７】
ユーザからの購入要求に応じて、コンテンツ提供元から提供される書き換え可能な記録媒体であって、再生禁止に保護された購入コンテンツ及び／又は購入候補コンテンツと、前記購入コンテンツの保護を解除するための認証キーとが記録され、前記購入候補コンテンツの保護を解除するための認証キーを追記可能としたことを特徴とする記録媒体。
【請求項８】
請求項７に記載の記録媒体に記録されたコンテンツを再生する再生装置であって、
前記記録媒体に記録されたコンテンツをリスト表示させ、該リスト上で再生するコンテンツをユーザに選択させるコンテンツ選択手段と、該ユーザにより選択されたコンテンツが再生禁止に保護されている場合に、前記コンテンツの認証キーが前記記録媒体に記録されているか否かを判定する判定手段とを備え、
前記記録媒体に認証キーが記録されていると判定された場合、該認証キーにより前記コンテンツの保護を解除し、また、前記記録媒体に認証キーが記録されていないと判定された場合、該認証キーの購入を促すためのメッセージを表示することを特徴とする再生装置。
【請求項９】
請求項８に記載の再生装置において、前記記録媒体は固有のＩＤを記録し、前記認証キーは記録媒体毎の固有のＩＤが付加されており、
前記再生装置は、前記認証キーに付加された固有のＩＤが、前記記録媒体に記録された固有ＩＤと一致する場合に、前記認証キーにより前記コンテンツの保護を解除することを特徴とする再生装置。
【請求項１０】
請求項８又は９に記載の再生装置において、前記コンテンツ選択手段は、前記記録媒体に記録されたコンテンツをリスト表示させ、該リスト上で削除するコンテンツをユーザに選択させることを特徴とする再生装置。
【発明の詳細な説明】
【技術分野】
【０００１】
本発明は、コンテンツ購入システム、記録媒体、及び再生装置に関し、より詳細には、書き換え可能な記録媒体を利用してコンテンツを購入するためのコンテンツ購入システム、コンテンツを記録した記録媒体、及び該記録媒体のコンテンツを再生する再生装置に関する。
【背景技術】
【０００２】
近年、ＢＤ（Blu-ray Disc），ＤＶＤ（Digital Versatile Disc）などの書き換え可能なリムーバブルメディアの普及に伴い、レコーダ機器を利用したテレビ番組の保存や、ＰＣ（パーソナルコンピュータ）などを利用した各種データの保存が行われている。このようなリムーバブルメディアは、レコーダやＰＣで簡単に扱うことができ、データの追加や削除を容易に行うことができる。
【０００３】
上記のリムーバブルメディアに対して書籍データ等のコンテンツを記録し、これを配布することで、ユーザは携帯プレーヤなどを使用して、リムーバブルメディアに記録されたコンテンツを再生することが行われている。
【０００４】
例えば、特許文献１には、複数の書籍データを蓄積した電子書籍データ蓄積センタと、その電子書籍データ蓄積センタと通信回線を介して接続された電子書籍自動販売機とを備えたシステムが開示されている。この電子書籍自動販売機は、記録媒体を着脱可能であり、ユーザにより装着された記録媒体にユーザの希望する書籍データを記録可能とし、また、ユーザの操作により記録媒体に記録された書籍データを消去できるようにしている。
【先行技術文献】
【特許文献】
【０００５】
【特許文献１】特開２０００−２８５３１２号公報
【発明の概要】
【発明が解決しようとする課題】
【０００６】
しかしながら、上記特許文献１に記載の電子書籍自動販売機の場合、ユーザは書籍データを記録媒体に追加したり、削除したりするためには、その都度、電子書籍自動販売機のある場所まで出向く必要があり、ユーザの利便性を考えると好ましくない。特に、電子書籍自動販売機のある場所から離れた地域に住むユーザにとっては、わざわざ電子書籍自動販売機まで行って記録操作や削除操作などを行うのは面倒なことである。
【０００７】
これに対して、ユーザが自宅のＰＣなどから、所望のコンテンツをインターネット等のネットワークを介して注文し、注文を受けたコンテンツ提供元が、ユーザにより注文されたコンテンツを記録した記録媒体をユーザに送付することが考えられる。これにより、ユーザは家に居ながらにして所望のコンテンツを簡単に入手することができる。しかし、このような方法では、コンテンツをさらに追加したい場合、ユーザはＰＣから再度注文を行い、コンテンツ提供元から別の記録媒体を送付して貰うことになるため、コンテンツの追加の度に記録媒体が増えてしまい、記録媒体の管理が煩雑となる。
【０００８】
また、記録媒体の数を増やしたくない場合には、最初に注文する記録媒体に、多数のコンテンツを記録してしまうことも考えられるが、この場合、多数のコンテンツを一度に発注することは、ユーザの金銭的負担も大きく、また、多数のコンテンツを発注する際に、よく考えると不要であったコンテンツまで含めて発注してしまう場合もあり、ユーザに負担をかけるという問題があった。
【０００９】
本発明は、上述のごとき実情に鑑みてなされたものであり、ＢＤなどの記録媒体を利用してコンテンツを購入する際に、ユーザに負担を掛けることなく、多数のコンテンツを提供可能とし、記録媒体に対してコンテンツの追加や削除などを容易に行えるようにすること、を目的とする。
【課題を解決するための手段】
【００１０】
上記課題を解決するために、第１の技術手段は、ユーザが使用するユーザ端末と、コンテンツ提供元のサーバ装置とがネットワークを介して接続されたコンテンツ購入システムであって、前記ユーザ端末は、前記サーバ装置から提供されるコンテンツ購入画面を表示させ、該コンテンツ購入画面上で購入する購入コンテンツ及び／又は今後購入予定の購入候補コンテンツをユーザに選択させるコンテンツ選択手段と、該選択された購入コンテンツ及び／又は購入候補コンテンツを記録した書き換え可能な記録媒体の購入要求を前記サーバ装置に送信する購入要求送信手段とを備え、前記サーバ装置は、前記購入要求送信手段により送信された購入要求を受信する購入要求受信手段と、該受信した購入要求に基づいて前記記録媒体を作成する記録媒体作成手段とを備え、前記記録媒体は、再生禁止に保護された購入コンテンツ及び／又は購入候補コンテンツと、購入コンテンツの保護を解除するための認証キーとが記録され、購入候補コンテンツの保護を解除するための認証キーを追記可能としたことを特徴としたものである。
【００１１】
第２の技術手段は、第１の技術手段において、前記記録媒体作成手段は、前記購入候補コンテンツとして、前記購入コンテンツに関連する関連コンテンツを前記記録媒体に記録することを特徴としたものである。
【００１２】
第３の技術手段は、第１又は第２の技術手段において、前記記録媒体に記録された購入候補コンテンツの保護を解除する場合、前記ユーザ端末は、前記購入候補コンテンツの認証キーの購入要求を前記サーバ装置に送信することにより、該サーバ装置から認証キーを取得し、該取得した認証キーを前記記録媒体に追記可能としたことを特徴としたものである。
【００１３】
第４の技術手段は、第３の技術手段において、前記サーバ装置は、前記購入要求受信手段により受信した購入要求に含まれる購入コンテンツの購入代金を課金する課金手段を備え、該課金手段は、前記購入候補コンテンツの認証キーを前記ユーザ端末に送信した時点で、前記購入候補コンテンツの購入代金を課金することを特徴としたものである。
【００１４】
第５の技術手段は、第１〜第４のいずれか１の技術手段において、コンテンツを追加購入する場合、前記ユーザ端末は、購入コンテンツの追加要求を前記サーバ装置に送信することにより、該サーバ装置から購入コンテンツ及びその認証キーを取得し、該取得した購入コンテンツ及びその認証キーを前記記録媒体に追記可能としたことを特徴としたものである。
【００１５】
第６の技術手段は、第１〜第４のいずれか１の技術手段において、コンテンツを購入候補として追加する場合、前記ユーザ端末は、購入候補コンテンツの追加要求を前記サーバ装置に送信することにより、該サーバ装置から購入候補コンテンツを取得し、該取得した購入候補コンテンツを前記記録媒体に追記可能としたことを特徴としたものである。
【００１６】
第７の技術手段は、ユーザからの購入要求に応じて、コンテンツ提供元から提供される書き換え可能な記録媒体であって、再生禁止に保護された購入コンテンツ及び／又は購入候補コンテンツと、前記購入コンテンツの保護を解除するための認証キーとが記録され、前記購入候補コンテンツの保護を解除するための認証キーを追記可能としたことを特徴としたものである。
【００１７】
第８の技術手段は、第７の技術手段における記録媒体に記録されたコンテンツを再生する再生装置であって、前記記録媒体に記録されたコンテンツをリスト表示させ、該リスト上で再生するコンテンツをユーザに選択させるコンテンツ選択手段と、該ユーザにより選択されたコンテンツが再生禁止に保護されている場合に、前記コンテンツの認証キーが前記記録媒体に記録されているか否かを判定する判定手段とを備え、前記記録媒体に認証キーが記録されていると判定された場合、該認証キーにより前記コンテンツの保護を解除し、また、前記記録媒体に認証キーが記録されていないと判定された場合、該認証キーの購入を促すためのメッセージを表示することを特徴としたものである。
【００１８】
第９の技術手段は、第８の技術手段において、前記記録媒体は固有のＩＤを記録し、前記認証キーは記録媒体毎の固有のＩＤが付加されており、前記再生装置は、前記認証キーに付加された固有のＩＤが、前記記録媒体に記録された固有ＩＤと一致する場合に、前記認証キーにより前記コンテンツの保護を解除することを特徴としたものである。
【００１９】
第１０の技術手段は、第８又は第９の技術手段において、前記コンテンツ選択手段は、前記記録媒体に記録されたコンテンツをリスト表示させ、該リスト上で削除するコンテンツをユーザに選択させることを特徴としたものである。
【発明の効果】
【００２０】
本発明によれば、ＢＤなどの記録媒体を利用してコンテンツを購入する際に、ユーザに負担を掛けることなく、多数のコンテンツを提供可能とし、記録媒体に対してコンテンツの追加や削除などを容易に行うことができる。
【図面の簡単な説明】
【００２１】
【図１】本発明の一実施形態に係るコンテンツ購入システムの構成例を示す図である。
【図２】図１に示した記録媒体のデータ構造の一例を示す図である。
【図３】図１に示したユーザ端末の構成例を示すブロック図である。
【図４】図１に示したサーバ装置の構成例を示すブロック図である。
【図５】本発明に係るユーザ端末に表示されるコンテンツ購入画面の一例を示す図である。
【図６】本発明に係るユーザ端末に表示されるコンテンツ購入画面の他の例を示す図である。
【図７】本発明に係る再生装置に表示されるコンテンツリスト画面の一例を示す図である。
【図８】本発明に係る再生装置によるコンテンツ再生方法の一例を説明するためのフロー図である。
【発明を実施するための形態】
【００２２】
以下、添付図面を参照しながら、本発明のコンテンツ購入システム、記録媒体、及び再生装置に係る好適な実施の形態について説明する。
【００２３】
図１は、本発明の一実施形態に係るコンテンツ購入システムの構成例を示す図で、図中、１は記録媒体、２はユーザ端末、３はネットワーク、４はサーバ装置を示す。ユーザ端末２は、例えば、ネットワーク接続機能を備えたテレビジョン装置、レコーダ、ＰＣ、携帯プレーヤなどが適用される。また、サーバ装置４はコンテンツ提供元に設置され、例えば汎用的なコンピュータで構成される。ユーザ端末２は、インターネットなどのネットワーク３を介してサーバ装置４と通信可能に接続される。このユーザ端末２が上記ネットワーク接続機能を備えていない場合には、ネットワーク接続機能を備えた通信装置を外部接続するようにしてもよい。また、記録媒体１としては、書き換え可能なＢＤやＤＶＤなどの光ディスク、さらには、ＳＤカードなどのメモリカードやリムーバブルＨＤＤ（ハードディスクドライブ）などの書き換え可能な記録メディアが適用される。
【００２４】
図１において、ユーザ端末２からのコンテンツ購入要求はネットワーク３を介してサーバ装置４に送信され、サーバ装置４は、ユーザ端末２から受信したコンテンツ購入要求に基づいて、ユーザが購入するコンテンツ、今後購入する予定のコンテンツ、さらには、購入コンテンツの認証キーなどを記録した記録媒体１を作成する。そして、コンテンツ提供元は、この記録媒体１をユーザの住所に送付する。この記録媒体１の作成はサーバ装置４からの指示に基づいて他のＰＣなどで実行してもよい。また、サーバ装置４は、ユーザ端末２からの追加要求に応じて、追加のコンテンツや認証キーをユーザ端末２へネットワーク３を介して送信することができる。ユーザ端末２は、サーバ装置４から取得した追加のコンテンツや認証キーを記録媒体１に追記する。
【００２５】
図２は、図１に示した記録媒体１のデータ構造の一例を示す図で、図中、１１はフォルダを示す。このフォルダ（ブックフォルダ）１１は、再生禁止に保護された保護コンテンツ（タイトル１，２，３）を保存する保護コンテンツフォルダ１２と、自由に再生可能な非保護コンテンツ（タイトル１，２）を保存する非保護コンテンツフォルダ１３と、保護コンテンツフォルダ１２に保存されたコンテンツの保護を解除するための認証キー（キー１）を保存する認証キーフォルダ１４とで構成される。また、記録媒体１は、記録媒体１を識別するための製造番号などの固有ＩＤ１５を記録している。
【００２６】
なお、固有ＩＤ１５は、上記のブックフォルダ１１に記録されるものではなく、記録媒体１の特別なセキュア領域に記録されるため書き換えることはできない。この固有ＩＤ１５は通常はディスクが作成されたときに記録され、ユーザは見ることができない。
【００２７】
保護コンテンツフォルダ１２には、ユーザが購入したコンテンツ及び／又は今後購入予定のコンテンツを再生禁止に保護した状態で記録されている。また、非保護コンテンツフォルダ１３には、例えば、広告、カタログ、さらには、保護コンテンツフォルダ１２に保存されているコンテンツの概要を説明する付加情報などが記録され、これらの非保護コンテンツはユーザが自由に再生することができる。また、認証キーフォルダ１４には、保護コンテンツフォルダ１２に保存されているコンテンツの保護を解除するために必要な認証キーが記録されている。
【００２８】
保護コンテンツフォルダ１２に記録される保護コンテンツは、対応する認証キーがどれであるか特定できるように、認証キー特定情報（認証キーそのものではない）を保持しており、この認証キー特定情報により、各保護コンテンツに対応する認証キーが認証キーフォルダ１４に記録されているか否かを判定することができる。
【００２９】
この認証キーは、コンテンツ毎に固有の値となるように設定されるが、コンテンツの内容が同じであっても記録媒体毎に異なるキーとすることが望ましい。例えば、認証キーに記録媒体１の固有ＩＤ１５を付加するようにする。これにより、認証キーに付加された固有ＩＤと、ユーザに送付した記録媒体１の固有ＩＤとが一致した場合に、コンテンツの保護を解除することで、この記録媒体１でのみコンテンツの再生を許可し、コンテンツの不正な利用を制限することができる。なお、上記の認証キーによるコンテンツの保護は、ＢＤの場合、例えば、ＡＡＣＳ（Advanced Access Content System）などの公知の暗号化技術を利用することができる。
【００３０】
ここで、上記ＡＡＣＳを代表例として、コンテンツ保護の解除方法について簡単に説明する。認証キーは、コンテンツの復号キー情報を再生機器で解除可能なように暗号化したキーである。認証キー自身も暗号化されており、記録媒体の固有ＩＤを利用して暗号化することもできる。この認証キーを用いてコンテンツを復号する場合、まず、（１）再生機器内部で保持しているデバイスキー（及び記録媒体の固有ＩＤ）を利用して認証キーを復号する。次に、（２）復号した認証キー内に含まれる固有ＩＤが、記録媒体の固有ＩＤと一致するか否かをチェックする。なお、認証キーの暗号化に固有ＩＤを用いた場合には、復号できた時点で既に固有ＩＤのチェックが完了しているものとみなし、（２）の処理を不要としてもよい。次に、（３）再生機器内部に保持しているデバイスキーと、復号した認証キーとを利用して、暗号化されたコンテンツを復号する。
【００３１】
また、保護コンテンツフォルダ１２と非保護コンテンツフォルダ１３とを区別せず、保護コンテンツと非保護コンテンツとを１つのフォルダに記録するようにしてもよい。この場合、各コンテンツ内にコンテンツが保護されているかどうかを示す情報（フラグなど）を設定しておけばよい。
【００３２】
図３は、図１に示したユーザ端末２の構成例を示すブロック図である。このユーザ端末２は、デジタル放送信号を受信して、ＭＰＥＧ-２ＴＳ（Transport Stream）をストリーム処理部２３に出力するデジタルチューナ２１と、図示しないアナログチューナを介して入力されるアナログ放送信号などの映像入力をＭＰＥＧ-２ＴＳに変換し、これをストリーム処理部２３に出力するＭＰＥＧ（Moving Picture Experts Group）-２エンコーダ２２と、デジタルチューナ２１あるいはＭＰＥＧ-２エンコーダ２２から入力されるＭＰＥＧ-２ＴＳから映像ストリーム、音声ストリーム、及びその他のＳＩ（Service Information）情報などを分離・出力するストリーム処理部２３とを備える。
【００３３】
また、ユーザ端末２は、ユーザ端末２の動作を制御するＣＰＵを含む制御部２４と、録画制御や再生制御に必要なプログラムやデータを格納する揮発性メモリである録画／再生制御用メモリ２５と、ストリーム処理部２３で分離された映像ストリーム及び音声ストリームをデコードして映像信号及び音声信号を出力する再生用デコーダ２６と、デコードされた映像信号に対してサイズ変換や色の補正等を行い、さらに必要なＯＳＤ信号を重畳する画像処理／ＯＳＤ処理部２７と、画像処理／ＯＳＤ処理部２７から出力された映像信号を表示するＬＣＤ（Liquid Crystal Display）などの表示部２８とを備える。なお、再生用デコーダ２６でデコードされた音声信号は図示しないスピーカから音声出力される。
【００３４】
また、ユーザ端末２は、ユーザ端末２の動作を制御するためのプログラムや各種設定データなどを格納する不揮発性メモリであるプログラム格納／設定保存用メモリ２９と、ディスクドライブ部３１とのインタフェースとなるＳＡＴＡ（Serial ATA）Ｉ／Ｆ３０と、記録媒体を装着し記録媒体に対して読み込み／書き込みを行うディスクドライブ部３１と、ＨＤＤ（ハードディスクドライブ）やフラッシュＲＯＭなどで構成される記憶部３２と、ネットワーク３に接続するためのインタフェースであるネットワークＩ／Ｆ３３とを備える。なお、ＳＡＴＡＩ／Ｆ３０はＡＴＡ（Advanced Technology Attachment）規格のＩ／Ｆであってもよい。
【００３５】
記録媒体にストリームを録画する場合、ストリーム処理部２３は、デジタルチューナ２１あるいはＭＰＥＧ-２エンコーダ２２から入力されるＭＰＥＧ-２ＴＳから必要なパケット（映像ストリーム，音声ストリーム）を抽出し、録画に適したフォーマットに変換する。ストリーム変換部２３で変換されたストリームはＳＡＴＡＩ／Ｆ３０を介してディスクドライブ部３１に転送され、ディスクドライブ部３１は、転送されたストリームを記録媒体に書き込んで録画を行う。また、記録媒体に録画されたストリームを再生する場合、制御部２４は、記録媒体に録画されたストリームをＳＡＴＡＩ／Ｆ３０を介して読み出し、読み出したストリームを再生用デコーダ２６に送る。再生用デコーダ２６は、このストリームをデコード処理し、映像信号を画像処理／ＯＳＤ処理部２７を介して表示部２８に表示させ、音声信号をスピーカから出力させる。
【００３６】
ここで、ユーザ端末２として、図１に示した記録媒体１を装着可能なディスクドライブ部３１と、ネットワーク３に接続するネットワークＩ／Ｆ３３とを備えたテレビジョン装置として例示したが、ネットワーク接続機能を備えた携帯プレーヤ、あるいは、表示部２８を持たないレコーダなどであってもよい。ユーザ端末２をレコーダとして構成する場合、テレビジョン装置などの表示装置と外部接続すればよい。
【００３７】
図４は、図１に示したサーバ装置４の構成例を示すブロック図である。このサーバ装置４は、例えば、汎用的なコンピュータで構成され、サーバ装置４の動作を制御するＣＰＵ４１と、制御プログラムなどの実行領域となるＲＡＭ４２と、制御プログラムやデータなどを格納するＲＯＭ４３と、ＨＤＤなどで構成される記憶部４４と、マウスやキーボードなどのポインティングデバイスで構成される入力部４５と、ＬＣＤ（Liquid Crystal Display）などの表示部４６と、ネットワーク３に接続する通信インタフェースである通信部４７と、プリンタなどの外部機器にデータを出力する出力部４８と、記録媒体１を装着して駆動するディスクドライブ部４９と、これら各部を相互に接続するシステムバス５０とで構成される。
【００３８】
本発明の主たる特徴部分は、記録媒体を利用してコンテンツを購入する際に、ユーザに負担を掛けることなく、多数のコンテンツを提供可能とし、記録媒体に対してコンテンツの追加や削除などを容易に行えるようにすることである。このための構成として、ユーザ端末２は、サーバ装置４から提供されるコンテンツ購入画面（後述の図５，図６）を表示させ、コンテンツ購入画面上で購入する購入コンテンツ及び／又は今後購入予定の購入候補コンテンツをユーザに選択させる購入コンテンツ選択手段と、ユーザにより選択された購入コンテンツ及び／又は購入候補コンテンツを記録した書き換え可能な記録媒体１の購入要求をサーバ装置４に送信する購入要求送信手段とを備える。図３において、購入コンテンツ選択手段は制御部２４、画像処理／ＯＳＤ処理部２７、及び表示部２８により実現され、購入要求送信手段は制御部２４及びネットワークＩ／Ｆ３３により実現される。
【００３９】
また、サーバ装置４は、購入要求送信手段により送信された購入要求を受信する購入要求受信手段と、受信した購入要求に基づいて記録媒体１を作成する記録媒体作成手段とを備える。図４において、購入要求受信手段はＣＰＵ４１及び通信部４７により実現され、記録媒体作成手段はＣＰＵ４１及びディスクドライブ部４９により実現される。この記録媒体作成手段としては、記録媒体１を、サーバ装置４からの指示に基づいて、他のＰＣや特定の記録媒体作成装置で作成させても構わない。
【００４０】
そして、サーバ装置４で作成された記録媒体１は、コンテンツ提供元からユーザへ送付される。この記録媒体１は、前述の図２に示したデータ構造を有し、再生禁止に保護された購入コンテンツ及び／又は購入候補コンテンツと、購入コンテンツの保護を解除するための認証キーとが記録され、購入候補コンテンツの保護を解除するための認証キーを追記可能としている。なお、購入コンテンツは、ユーザが購入したコンテンツであり、課金され、再生禁止に保護された状態で保存される。この購入コンテンツには対応する認証キーが保存されているため、これにより保護が解除される。また、購入候補コンテンツは、ユーザが今後購入する可能性のあるコンテンツであり、未課金のまま、再生禁止に保護された状態で保存される。ユーザへの送付時にはこの購入候補コンテンツの認証キーは保存されていないものとする。
【００４１】
また、サーバ装置４は、購入要求受信手段により受信した購入要求に含まれる購入コンテンツの購入代金を課金する課金手段を備えるようにしてもよい。すなわち、課金手段は、認証キーが発行された購入コンテンツについてのみ課金を行い、認証キーが発行されていない購入候補コンテンツについては課金を行わない。この課金制御はＣＰＵ４１により実行される。また、課金手段としては、例えば、クレジットカードや電子マネーなどの公知の技術を利用すればよい。
【００４２】
また、記録媒体１に記録された購入候補コンテンツの保護を解除する場合、ユーザ端末２は、購入候補コンテンツの認証キーの購入要求をサーバ装置４に送信することにより、サーバ装置４から認証キーを取得し、取得した認証キーを記録媒体１に追記することができる。なお、上記購入要求には、各コンテンツに固有の識別情報が付加されているため、これにより、サーバ装置４において対応する認証キーを特定することができる。そして、サーバ装置４の課金手段は、購入候補コンテンツの認証キーをユーザ端末２に送信した時点で、購入候補コンテンツの購入代金を課金できるようにしている。
【００４３】
また、上記課金手段の具体例として、サーバ装置４は、ユーザ毎の課金テーブルを備え、ユーザに対して、購入コンテンツあるいは購入候補コンテンツの購入代金を課金するようにすればよい。
【００４４】
また、コンテンツを追加購入する場合、ユーザ端末２は、購入コンテンツの追加要求をサーバ装置４に送信することにより、サーバ装置４から購入コンテンツ及びその認証キーを取得し、取得した購入コンテンツ及びその認証キーを記録媒体１に追記することができる。ここで、購入コンテンツを追記した場合、サーバ装置４の課金手段は、購入コンテンツの認証キーをユーザ端末２に送信した時点で、購入コンテンツに対して課金することができる。
【００４５】
同様に、コンテンツを購入候補として追加する場合、ユーザ端末２は、購入候補コンテンツの追加要求をサーバ装置４に送信することにより、サーバ装置４から購入候補コンテンツを取得し、取得した購入候補コンテンツを記録媒体１に追記することができる。この場合、取得されたコンテンツは購入候補（未課金）であるため、対応する認証キーは同時に取得されない。ユーザはこのコンテンツを後で再生したいときに、対応する認証キーをサーバ装置４から取得すればよい。
【００４６】
図５は、本発明に係るユーザ端末２に表示されるコンテンツ購入画面の一例を示す図である。このコンテンツ購入画面は、書籍、雑誌、新聞などの各種コンテンツを購入するための画面であり、サーバ装置４からネットワーク３を介して提供される。ユーザはこのコンテンツ購入画面上で所望のコンテンツを選択することができる。本例では、「小説」、「雑誌」、「実用書」、「漫画」、「学習」、「専門書」、「新聞」などのタグ毎に区別されている。本例の「小説」タグには、各小説の項目として、タイトル、ジャンル、作者、価格、購入／保存をチェックするためのチェック欄が含まれるが、これら以外に、さらに本（表紙カバー）の画像や小説の概要などを表示可能に含めるようにしてもよい。
【００４７】
ユーザは、図示しないリモコン等を操作して、ユーザ端末２の表示部２８にコンテンツ購入画面を表示させ、さらに、リモコン等を操作して、コンテンツ購入画面上でカーソルを移動させて、「小説」タグを選択し、この「小説」タグに含まれるコンテンツに対してチェック欄の「購入」と「保存」を選択指定する。このチェック欄には、「購入」と「保存」の２つが選択可能に設けられている。ユーザは、現時点で購入する小説（購入コンテンツ）の場合、「購入」をチェックし、現時点では購入しないが将来的に購入したい小説（購入候補コンテンツ）の場合、「保存」をチェックする。そして、必要に応じて、ユーザの住所やクレジットカードの番号などを入力し、最後に「新規購入」ボタンを押下すると、コンテンツ提供元への新規注文処理が完了する。
【００４８】
上記のようにしてユーザ端末２から送信された購入要求は、サーバ装置４で受信される。そして、サーバ装置４は、受信した購入要求に基づいて記録媒体１（図２）を作成する。すなわち、上記コンテンツ購入画面で「購入」または「保存」にチェックされたコンテンツは、再生禁止に保護された状態で、図２の保護コンテンツフォルダ１２に記録される。また、「購入」にチェックされたコンテンツは、その保護を解除するための認証キーが認証キーフォルダ１４に記録される。なお、ユーザに提供されるコンテンツはサーバ装置４に格納しておいてもよいし、別途設けたコンテンツデータベースから取得するようにしてもよい。
【００４９】
また、記録媒体１の非保護コンテンツフォルダ１３には、保護コンテンツフォルダ１２に記録されたコンテンツの概要を示す情報や、今後販売されるコンテンツの広告、この記録媒体１を再生可能な再生装置のカタログ情報などを付加情報として記録することができる。また、ユーザにお勧めのコンテンツや、ユーザが購入したコンテンツと作者やジャンルなどが同じコンテンツなど、購入コンテンツに関連する関連コンテンツを、再生禁止に保護した状態で、保護コンテンツフォルダ１２に記録してもよい。このようにして作成された記録媒体１は、ユーザに送付される。ユーザは、記録媒体１を再生する際に、保護コンテンツフォルダ１２に記録されたコンテンツの中で、認証キーがないコンテンツ、すなわち、購入候補コンテンツについては、認証キーのみをサーバ装置４を介して購入・取得することができる。
【００５０】
また、ユーザは記録媒体１の入手後、購入コンテンツ（及びその認証キー）を追加する場合や、購入候補コンテンツを追加する場合には、図５のコンテンツ購入画面を表示させ、上記と同様の手順でコンテンツを選択し、最後に「追加購入」ボタンを押下することで、コンテンツ提供元へのコンテンツの追加注文処理が完了する。この際、記録媒体１に既に記録されているコンテンツについては、コンテンツ購入画面上でグレーアウト表示するなど、ユーザが選択できない状態にしておくことが好ましい。なお、購入候補コンテンツの追加の場合には、対応する認証キーは送信されないため、この時点では課金されない。
【００５１】
また、記録媒体１に記録済みの購入候補コンテンツの認証キーを追加する場合には、図５のコンテンツ購入画面に設けられた「購入候補コンテンツリスト」を、ユーザが押下することで、現在記録媒体１に記録されている購入候補コンテンツのリストが表示される（図示せず）。そして、この購入候補コンテンツリストから、ユーザが購入する購入候補コンテンツを選択し、最後に図示しない「認証キーを購入」ボタンを押下することで、コンテンツ提供元への認証キーの追加注文処理が完了する。なお、購入候補コンテンツの認証キーを追加注文することで、ユーザに対して、購入候補コンテンツの購入代金が課金される。
【００５２】
上記のようにしてユーザ端末２から送信された追加要求は、サーバ装置４で受信される。そして、サーバ装置４は、受信した追加要求に基づいて、例えば、記録済み購入候補コンテンツの認証キーをネットワーク３を介してユーザ端末２に送信する。ユーザ端末２は、受信した記録済み購入候補コンテンツの認証キーを記録媒体１に追記することができる。
【００５３】
ここで、認証キー等の記録媒体１への追記方法としては、ユーザが手動で行う場合と、ユーザ端末２が自動的に行う場合とが考えられる。前者の手動追記の場合、サーバ装置４から送信された認証キーの保存先として、ユーザが記録媒体１の認証キーフォルダ１４を指定し、この認証キーを認証キーフォルダ１４に保存する。また、サーバ装置４から送信された購入コンテンツ（及び認証キー），購入候補コンテンツの場合も同様であり、ユーザが記録媒体１の保護コンテンツフォルダ１２（及び認証キーフォルダ１４），非保護コンテンツフォルダ１３を保存先として指定して保存する。
【００５４】
また、後者の自動追記の場合、例えば、ユーザ端末２は、記録媒体１がセットされたことを認識すると、図５のコンテンツ購入画面を表示させるためのアプリケーションを起動させる。ユーザ端末２は、このアプリケーションにおけるユーザ操作によりサーバ装置４にアクセスし、コンテンツ購入画面を表示させる。そして、例えば、コンテンツ購入画面上でユーザにより選択された記録済み購入候補コンテンツの認証キーの追加要求に応じて、サーバ装置４が対応する認証キーをネットワーク３を介してユーザ端末２に送信する。ユーザ端末２は自動的に追加の認証キーを認証キーフォルダ１４に保存する。この場合、ユーザ端末２は、認証キーと記録媒体１の保存先フォルダとを予め関連付けておけばよい。
【００５５】
また、サーバ装置４から送信された追加の購入コンテンツ（及び認証キー），購入候補コンテンツについても同様に記録媒体１の保存先フォルダを予め関連付けておけばよい。これにより、ユーザ端末２が、自動的に、購入コンテンツ（及び認証キー）を保護コンテンツフォルダ１２（及び認証キーフォルダ１４）に保存し、また、購入候補コンテンツを非保護コンテンツフォルダ１３に保存することができる。
【００５６】
図６は、本発明に係るユーザ端末２に表示されるコンテンツ購入画面の他の例を示す図である。本例では、「雑誌」タグが選択されている。この雑誌タグには、各雑誌の項目として、タイトル、発行日、購読期間、価格、購入／保存をチェックするためのチェック欄が含まれるが、これら以外に、さらに雑誌（表紙カバー）の画像や雑誌の概要などを表示可能に含めるようにしてもよい。なお、コンテンツ購入・追加処理の手順については図５で説明した手順と基本的に同様である。
【００５７】
図６の例は、週刊誌や月刊誌などの一定の間隔で発行されるコンテンツの購入画面を示す。雑誌のように一定間隔で発行されるコンテンツの場合、ユーザは指定した１回分のみ（例えば４月号のみ）を購入することもできるし、あるいは、１ヶ月間や１年間の定期購読による購入も可能である。また、定期購読の注文が完了した場合、ユーザに対して、コンテンツの発行日にその都度記録媒体１を送付するようにしてもよく、あるいは、最初の１回のみユーザに記録媒体１を送付し、その後のコンテンツについては、サーバ装置４からネットワーク３を介して取得し、記録媒体１に追記することもできる。
【００５８】
上記において、最初の１回のみユーザに記録媒体１を送付する場合、１つの認証キーで、その後に発行される全てのコンテンツに対応できるようにしてもよい。この場合、記録媒体１の送付時に、ユーザが購入したコンテンツの認証キーを記録媒体１に予め記録しておけばよい。また、記録媒体１にコンテンツを追記する際にその都度認証キーを追記するようにしてもよい。
【００５９】
以下、記録媒体１に記録されているコンテンツを再生する再生装置について説明する。この再生装置としては、前述のユーザ端末２であってもよく、また、携帯プレーヤなどの携帯可能な再生機器であってもよいが、ここでは、ユーザ端末２を例示して説明するものとする。
【００６０】
ユーザ端末２は、記録媒体１に記録されたコンテンツをリスト表示させ、そのリスト上で再生するコンテンツをユーザに選択させる再生／削除コンテンツ選択手段と、ユーザにより選択されたコンテンツが再生禁止に保護されている場合に、コンテンツの認証キーが記録媒体１に記録されているか否かを判定する判定手段とを備える。なお、再生／削除コンテンツ選択手段は、記録媒体１に記録されたコンテンツをリスト表示させ、そのリスト上で削除するコンテンツをユーザに選択させることもできる。ここで、前述の図３において、再生／削除コンテンツ選択手段は制御部２４、画像処理／ＯＳＤ処理部２７、及び表示部２８により実現され、判定手段は制御部２４により実現される。
【００６１】
そして、ユーザ端末２は、記録媒体１に認証キーが記録されていると判定された場合、その認証キーによりコンテンツの保護を解除し、また、記録媒体１に認証キーが記録されていないと判定された場合、その認証キーの購入を促すためのメッセージを表示する。これは、前述したように、保護コンテンツフォルダ１２に記録される保護コンテンツは、対応する認証キーがどれであるか特定できるように、認証キー特定情報を保持しており、この認証キー特定情報により、各保護コンテンツに対応する認証キーが認証キーフォルダ１４に記録されているか否かを判定する。
【００６２】
ここで、ユーザ端末２がネットワーク接続機能を備えている場合、再生禁止コンテンツの認証キーをサーバ装置４から直接取得して、記録媒体１に追記することができるが、ユーザ端末２がネットワーク接続機能を持たない再生機器の場合、他のネットワーク端末を利用して認証キーを取得して、記録媒体１に追記するようにしてもよい。
【００６３】
図７は、本発明に係る再生装置に表示されるコンテンツリスト画面の一例を示す図である。このコンテンツリスト画面には、記録媒体１に記録された全てのコンテンツのタイトルとそのコンテンツが再生可能であるか否かの再生可否情報を表示することができる。この再生可否情報における再生の可否は、コンテンツに対して有効な認証キーが記録媒体１に記録されているか否かで判断することができる。すなわち、保護コンテンツ中の購入コンテンツと非保護コンテンツとは再生可と判断され、保護コンテンツ中の購入候補コンテンツは再生不可と判断される。
【００６４】
ユーザは、図７に示すコンテンツリスト画面から、再生させる所望のタイトルを選択し（ここでは「小説２」が選択状態）、「再生」ボタンを押下することで、コンテンツの再生を行うことができる。また、ユーザは、コンテンツリスト画面から、不要となったタイトルを選択し、「削除」ボタンを押下することで、記録媒体１内の対応するコンテンツを削除することができる。
【００６５】
ここで、前述したように、記録媒体１は固有ＩＤ１５（図２）を記録し、認証キーは記録媒体毎の固有のＩＤが付加されているものとする。コンテンツを再生する場合、ユーザ端末２は、認証キーに付加された固有のＩＤが、記録媒体１に記録された固有ＩＤと一致する場合に、その認証キーによりコンテンツの保護を解除するようにしてもよい。
【００６６】
サーバ装置４は、記録媒体１にコンテンツ及び認証キーを最初に書き込む場合には、この認証キーに記録媒体１の固有ＩＤを付加して記録すればよい。また、ユーザ端末２がネットワーク３を介して認証キーの取得要求を行ない、サーバ装置４が後から認証キーを送信する場合には、ユーザ端末２からの取得要求がどの記録媒体に対応するのかを特定し、特定した記録媒体の固有ＩＤを認証キーに付加して送信してもよい。これは、例えば、記録媒体を送付したユーザのユーザＩＤなどのユーザ情報と、送付した記録媒体の固有ＩＤとを対応付けて予め登録しておけばよい。これにより、上記の取得要求に含まれるユーザＩＤから、記録媒体の固有ＩＤを特定することができる。
【００６７】
具体的には、ユーザに送付した記録媒体１の固有ＩＤが例えば「１２３」であれば、その記録媒体１に対応する認証キーには全て「１２３」が付加される。あるコンテンツに対応した認証キーが例えば「ａｂｃｄｅｆｇｈ」であった場合、これに記録媒体１の固有ＩＤとして「１２３」が付加される。この例の場合、認証キー「ａｂｃｄｅｆｇｈ」に固有ＩＤ「１２３」が付加された状態で保存または送信される。
【００６８】
上記のようにすることで、たとえ同じ内容のコンテンツであっても、記録媒体が異なると、ＩＤが一致しないため、再生禁止の保護を解除することができない。例えば、別々の記録媒体Ａ，Ｂに同じ内容のコンテンツが記録されており、記録媒体Ａにのみ認証キーが記録されているものとする。この際、記録媒体Ｂのコンテンツの保護を、記録媒体Ａの認証キーで解除しようとしても、ＩＤが異なるため、解除することはできない。すなわち、複数の異なる記録媒体に記録された同一のコンテンツ間で、１つの認証キーを使い回すことができないようにし、コンテンツの不正な利用を防止することができる。
【００６９】
図８は、本発明に係る再生装置によるコンテンツ再生方法の一例を説明するためのフロー図である。本例では、再生装置としてユーザ端末２を適用した場合について説明する。まず、ユーザ端末２は、ユーザがリモコン等を操作することで、記録媒体１に記録されている全てのコンテンツを、図７に示すコンテンツリスト画面に表示させ、ユーザは、リモコン等を操作して、このコンテンツリスト画面上で所望のコンテンツを選択する（ステップＳ１）。
【００７０】
そして、ユーザ端末２は、ユーザにより選択されたコンテンツが再生禁止に保護されている保護コンテンツであるか否かを判定し（ステップＳ２）、コンテンツが保護されていると判定した場合（ＹＥＳの場合）、記録媒体１に、ユーザにより選択されたコンテンツに対応した認証キーが記録されているか否かを判定する（ステップＳ３）。また、ステップＳ２において、コンテンツが保護されていないと判定した場合（ＮＯの場合）。非保護コンテンツであるため、ステップＳ８に移行して、コンテンツを表示する。なお、ステップＳ３の処理は、記録媒体１に記録された保護コンテンツが保持する認証キー特定情報により、各保護コンテンツに対応する認証キーが記録媒体１に記録されているか否かを判定することで行うことができる。
【００７１】
次に、ユーザ端末２は、ステップＳ３において、記録媒体１に、ユーザにより選択されたコンテンツに対応する認証キーが記録されていると判定した場合（ＹＥＳの場合）、購入コンテンツであるため、認証キーに付加されたＩＤと、記録媒体１の固有ＩＤとが一致するか否かを判定する（ステップＳ４）。また、ステップＳ３において、記録媒体１に、ユーザにより選択されたコンテンツに対応する認証キーが記録されていないと判定した場合（ＮＯの場合）、購入候補コンテンツであるため、認証キーの購入を促すメッセージを表示する（ステップＳ５）。
【００７２】
次に、ユーザ端末２は、ステップＳ４において、認証キーに付加されたＩＤと、記録媒体１の固有ＩＤとが一致すると判定した場合（ＹＥＳの場合）、認証キーにより記録媒体１のコンテンツの保護を解除し（ステップＳ６）、そのコンテンツを表示する（ステップＳ８）。また、ステップＳ４において、認証キーに付加されたＩＤと、記録媒体１の固有ＩＤとが一致しないと判定した場合（ＮＯの場合）、認証キーが不一致であることを通知するためのメッセージを表示する（ステップＳ７）。
【００７３】
このように、本発明によれば、ユーザからのコンテンツ購入依頼をネットワーク経由で受信し、ＢＤ等の書き換え可能な記録媒体にコンテンツを記録して販売することで、ユーザは家にいながらにしてコンテンツの再生を容易に行うことができる。
また、記録媒体に、ユーザが購入した購入コンテンツと共に、今後購入するかもしれない購入候補コンテンツを再生禁止に保護した状態で記録しておき、購入候補コンテンツを再生したいときに認証キーのみをネットワークを介して取得することができるため、ユーザに負担を掛けることなく、多数のコンテンツを提供可能とし、記録媒体に対してコンテンツの追加や削除などを容易に行うことができる。
【符号の説明】
【００７４】
１…記録媒体（ディスク）、２…ユーザ端末、３…ネットワーク、４…サーバ装置、１１…ブックフォルダ、１２…保護コンテンツフォルダ、１３…非保護コンテンツフォルダ、１４…認証キーフォルダ、１５…固有ＩＤ、２１…デジタルチューナ、２２…ＭＰＥＧ-２エンコーダ、２３…ストリーム処理部、２４…制御部、２５…録画／再生制御用メモリ、２６…再生用デコーダ、２７…画像処理／ＯＳＤ処理部、２８…表示部、２９…プログラム格納／設定保存用メモリ、３０…ＳＡＴＡＩ／Ｆ、３１…ディスクドライブ部、３２…記憶部、３３…ネットワークＩ／Ｆ、４１…ＣＰＵ、４２…ＲＡＭ、４３…ＲＯＭ、４４…記憶部、４５…入力部、４６…表示部、４７…通信部、４８…出力部、４９…ディスクドライブ部、５０…システムバス。
【図１】
2010250648.tif 000003
【図２】
2010250648.tif 000004
【図３】
2010250648.tif 000005
【図４】
2010250648.tif 000006
【図５】
2010250648.tif 000007
【図６】
2010250648.tif 000008
【図７】
2010250648.tif 000009
【図８】
2010250648.tif 000010